(57)【特許請求の範囲】
【請求項１】
室内空気を給排気する送風機と、該送風機の周りを囲むように設置されて冷媒を循環させる熱交換器と、それらを覆い風路を形成する筐体とを備え、吸込口より室内空気を吸気して熱交換器により室内空気と冷媒との間で熱交換を行わせ吹出口より吹き出させる空気調和機の室内機において、
前記筐体の天面における熱交換器下流側風路に対応する部位に、前記熱交換器に沿う凹形状の第１の溝を設けるとともに、前記天面における熱交換器上流側風路となる送風機設置エリアに対応する部位に、凹形状の第２の溝を設け、かつこれら第１の溝と第２の溝を、複数本の凹形状の連結溝によって連通接続し、前記第１の溝から前記第２の溝に流れ込んできた結露水を、前記送風機の稼働時の発熱に伴い加熱される前記第２の溝で蒸発させることを特徴とする空気調和機の室内機。
【請求項２】
前記第１の溝から前記第２の溝へ結露水が流れるように、該第２の溝の深さを深くしたことを特徴とする請求項１記載の空気調和機の室内機。
【請求項３】
前記第１の溝は、前記筐体内の配管収納部分に対応する部分まで延出し、この延出端に結露水流入孔が設けられているとともに、その溝の底部が、前記結露水流入孔に向かって下方へ傾斜する斜面に形成されていることを特徴とする請求項１又は請求項２記載の空気調和機の室内機。
【発明の詳細な説明】
【技術分野】
【０００１】
本発明は、空気調和機の室内機の筐体における天面形状の改良に関する。
【背景技術】
【０００２】
図５及び図６は「天井カセット型」と呼ばれる従来のこの種の空気調和機の室内機を示すもので、図５はその外観を示す斜視図、図６は図５のＡ−Ａ線矢視断面図である。
【０００３】
この従来の空気調和機の室内機は、室内空気を給排気するファン２及びファンモータ３からなる送風機４と、送風機の周りを囲むように設置されて冷媒を循環させる熱交換器１と、それらを覆い熱交換器１を挟む熱交換器上流側風路８ａ及び熱交換器下流側風路８ｂを形成する筐体５と、熱交換器１の下方に配置されて、熱交換器１およびこれに連なる配管で発生して滴下する結露水を受けて筐体５外へ排出するドレンパン（水受け）１４とを備え、筐体５の天面６には、熱交換器上流側風路８ａに対応する部位に、吸込口３１から吹出口３２までの空気の流れに沿った凹凸の環状リブ６ａが同心上に幾重にも設けられており、この多重の環状リブ６ａによって空気流れの渦発生が抑えられ、低騒音化・低振動化を得られ、剛性向上を図れるようにしている（例えば、特許文献１参照）。
【０００４】
【特許文献１】特開２００２−１４７７８９号公報（図１，図２）
【発明の開示】
【発明が解決しようとする課題】
【０００５】
しかしながら、このように室内機筐体５の天面６の熱交換器上流側風路８ａに対応する部位にのみ環状リブ６ａを設けたものにあっては、筐体５の天面６における外縁部までは補強できず、さらに筐体５の天面６における熱交換器下流側風路８ｂに対応する部位に室内機の内外の温度差によって生じる結露水を処理する手段も無く、天面６における熱交換器下流側風路８ｂに対応する部位に発生した結露水が、天面６の外側へ流れて筐体側壁を伝って室内機本体以外の所に滴下する可能性があった。そのため、断熱材を施す等、結露を防止するのに多くのコストをかけていた。
【０００６】
本発明の技術的課題は、室内機筐体の天面全体の剛性を向上させることができるとともに、空調の効率を低下させることなく、かつ天面に結露した水滴を室内機本体以外の箇所に滴下させることなく処理できるようにすることにある。
【課題を解決するための手段】
【０００７】
本発明に係る空気調和機の室内機は、下記の構成からなるものである。すなわち、室内空気を給排気する送風機と、送風機の周りを囲むように設置されて冷媒を循環させる熱交換器と、それらを覆い風路を形成する筐体とを備え、吸込口より室内空気を吸気して熱交換器により室内空気と冷媒との間で熱交換を行わせ吹出口より吹き出させる空気調和機の室内機において、筐体の天面における熱交換器下流側風路に対応する部位に、熱交換器に沿う凹形状の第１の溝を設けるとともに、天面における熱交換器上流側風路となる送風機設置エリアに対応する部位に、凹形状の第２の溝を設け、かつこれら第１の溝と第２の溝を、複数本の凹形状の連結溝によって連通接続し、第１の溝から第２の溝に流れ込んできた結露水を、送風機の稼働時の発熱に伴い加熱される第２の溝で蒸発させるものである。
【発明の効果】
【０００８】
本発明の空気調和機の室内機によれば、筐体の天面における熱交換器下流側風路に対応する部位に、熱交換器に沿う凹形状の第１の溝を設けるとともに、天面における熱交換器上流側風路となる送風機設置エリアに対応する部位に、凹形状の第２の溝を設け、かつこれら第１の溝と第２の溝を、複数本の凹形状の連結溝によって連通接続し、第１の溝から第２の溝に流れ込んできた結露水を、送風機の稼働時の発熱に伴い加熱される第２の溝で蒸発させるように構成しているので、第２の溝、連結溝、及び第１の溝が天面の中央部から外縁部まで連続する補強リブとして機能し、天面全体の剛性を向上させるとともに、天面に結露した水滴を第１の溝により回収し、第２の溝で蒸発させることができる。このため、天面に結露した水滴を、室内機本体以外の箇所に滴下させることなく処理することができる。
【発明を実施するための最良の形態】
【０００９】
実施の形態１．
図１は本発明の実施の形態１に係る空気調和機の室内機を熱交換器の位置が解るように示す上面図、図２はその縦断面図であり、各図中、前述の従来例に相当する部分には同一符号を付してある。
【００１０】
本実施形態の空気調和機の室内機は、冷媒を循環させる熱交換器１と、室内空気を給排気するファン２及びファンモータ３からなる送風機４と、送風機４の周りを囲むように覆う筐体５と、熱交換器１の下方に配置されて、熱交換器１およびこれに連なる配管で発生して滴下する結露水を受けて筐体５外へ排出するドレンパン（水受け）１４とを有し、筐体５の天面６に種々の溝が設けられている。すなわち、天面６におけるファンモータ設置部の周りには、ファンモータ設置部を中心に放射状に延びる複数のモータ周り補強溝７が施され、ファンモータ３を支えるための剛性が向上されている。また、天面６における熱交換器下流側風路８ｂに対応する部分には、熱交換器１に沿って凹形状の外周補強溝９が施されている。外周補強溝９は、天面６の剛性を向上させるリブの機能と、天面６における熱交換器下流側風路８ｂに対応する部分で主に発生する結露水を流す流路の機能を有する。したがって、外周補強溝９は、その一端が当該室内機内の熱交換器１の配管収納スペース１１に対応する部分まで延出し、この延出端にφ５mm程度の結露水流入孔１２が設けられているとともに、その他端側から結露水流入孔１２に向かうに従って溝深さが深くなるように、つまり外周補強溝９の底部が結露水流入孔１２に向かって下方へ傾斜する斜面に形成され、結露水を結露水流入孔１２に向けて強制的に流すことができるようになっている。筐体５内の配管収納スペース１１は、筐体５、熱交換器１、熱交換器連結板１３で囲まれた空間からなり、風の流れはなく、風路から隔絶されている。なお、ドレンパン１４は、配管収納スペース１１の下側まで延びており、結露水流入孔１２より滴下する結露水を受けて、ドレンホース（図示せず）より筐体外へ排出するようになっている。
【００１１】
次に、本実施形態の空気調和機の室内機の動作について説明する。なお、ここでは熱交換器上流側風路８ａあるいはその部位に吸い込まれる空気を１次側あるいは１次空気と表記し、熱交換器下流側風路８ｂあるいはその部位から吹き出される空気を２次側あるいは２次空気と表記する。空気調和機にて冷房運転を行う際に、室内１次空気（約２７℃）はファンモータ３によって回転するファン２によってファン２の下部にある吸込口３１から吸気され、熱交換器１を通過して、その間に熱交換器１内部を流れる冷媒と熱交換して冷却され、２次空気（約１０℃）として吹出口３２より排気される。１次空気に含まれる水分は、熱交換器１にて凝縮した結露水としてドレンパン１４に集められ、ドレンホースより筐体外へ排出される。
【００１２】
熱交換器１は約５℃、冷却された２次空気は約１０℃の低温であり、熱伝導により天面６における熱交換器１から２次側部分が冷却され、そして天面６の温度と天井内の温度（約３０℃）との温度差により天井内空気に含まれる水分が冷却された天面６に結露する。この天面６の結露水は、外周補強溝９内に溜まり、外周補強溝９の底部の傾斜に沿って深い溝側の結露水流入孔１２に向かって流れる。結露水流入孔１２部分は送風機４の影響（風圧）を受けないため、結露水流入孔１２に到達した結露水は重力によって滴下する。滴下した結露水は、熱交換器１の配管収納スペース１１の下方に配置されたドレンパン１４に溜められ、ドレンパン１４に具備されたドレンホースを通って筐体外へと排出される。
【００１３】
このように、本実施形態の空気調和機の室内機によれば、筐体５の天面６における熱交換器下流側風路８ｂに対応する部位に、熱交換器１に沿って、筐体５内の配管収納スペース１１部分に形成した結露水流入孔１２まで延びる凹形状の外周補強溝９を設けているので、外周補強溝９が天面６の外縁部の補強リブとして機能し、天面６の剛性を向上させるとともに、天面６に結露した水滴を外周補強溝９により回収して、結露水流入孔１２より排出することができる。このため、天面６に結露した水滴を、室内機本体以外の箇所に滴下させることなく処理することができる。
【００１４】
また、外周補強溝９の底部を結露水流入孔１２に向かって下方へ傾斜する斜面に形成しているので、結露水を結露水流入孔１２に向けて強制的に流すことができる。
【００１５】
また、結露水流入孔１２までドレンパン１４が延びているので、結露水流入孔１２より滴下する結露水を受けて、ドレンホース（図示せず）より筐体外へ排出することができる。
【００１６】
実施の形態２．
図３は本発明の実施の形態２に係る空気調和機の室内機を熱交換器の位置が解るように示す上面図、図４はその縦断面図であり、各図中、前述の実施の形態１と同一部分には同一符号を付してある。
【００１７】
本実施形態の空気調和機の室内機は、筐体５の天面６における熱交換器下流側風路８ｂに対応する部分に凹形状の第１の溝、すなわち前述の実施の形態１で説明した外周補強溝９と同一構成を有する凹形状の外周補強溝９を設けるとともに、天面６における熱交換器上流側風路８ａとなる送風機設置エリアに対応する部位に凹形状の第２の溝、すなわち前述の実施の形態１で説明したモータ周り補強溝７とほぼ同一構成を有するがそれよりも溝深さを深くした複数のモータ周り補強溝７Ａを設け、外周補強溝９とモータ周り補強溝７Ａとの間で数mmの段差を生じるように形成されている。また、外周補強溝９とモータ周り補強溝７Ａとを複数本の凹形状の連結溝２１によって数ヶ所で連通接続し、外周補強溝９からモータ周り補強溝７Ａへ結露水が流れるように構成し、モータ周り補強溝７Ａへ流れ込んできた結露水を、送風機４の稼働時のファンモータ３の発熱（約１００℃）により温められる当該モータ周り補強溝７Ａで蒸発させて除去できるようにしている。なお、連結溝２１の底部は、モータ周り補強溝７Ａに向けて下方へ傾斜する斜面に構成することが好ましい。また、ここでは結露水をモータ周り補強溝７Ａで蒸発させて除去できるので、外周補強溝９の底部は必ずしも結露水流入孔１２に向けて下方へ傾斜する斜面に形成する必要はなく、面一となるように構成してもよい。
【００１８】
次に、本実施形態の空気調和機の室内機の動作について説明する。なお、ここでも熱交換器上流側風路８ａあるいはその部位に吸い込まれる空気を１次側あるいは１次空気と表記し、熱交換器下流側風路８ｂあるいはその部位から吹き出される空気を２次側あるいは２次空気と表記する。空気調和機にて冷房運転を行う際に、室内１次空気（約２７℃）はファンモータ３によって回転するファン２によってファン２の下部にある吸込口３１から吸気され、熱交換器１を通過して、その間に熱交換器１内部を流れる冷媒と熱交換して冷却され、２次空気（約１０℃）として吹出口３２より排気される。１次空気に含まれる水分は、熱交換器１にて凝縮した結露水としてドレンパン１４に集められ、ドレンホースより筐体外へ排出される。
【００１９】
この時、熱交換器１は約５℃、冷却された２次空気は約１０℃の低温であり、熱伝導により天面６における熱交換器１から２次側部分が冷却され、そして天面６の温度と天井内の温度（約３０℃）との温度差により天井内空気に含まれる水分が冷却された天面６に結露する。この天面６の結露水は、外周補強溝９内に溜まり、一部は外周補強溝９から連結溝２１へ流れ、連結溝２１からそれよりも溝底部が低位置にあるモータ周り補強溝７Ａへ流れ、モータ周り補強溝７Ａにて、送風機４の稼働時のファンモータ３の発熱（約１００℃）により温められて蒸発し除去される。
【００２０】
また、外周補強溝９内の結露水の一部は、外周補強溝９の底部の傾斜に沿って深い溝側の結露水流入孔１２に向かって流れ、結露水流入孔１２から下方のドレンパン１４に滴下し、ドレンホースを通って筐体外へと排出される。
【００２１】
このように、本実施形態の空気調和機の室内機によれば、筐体５の天面６における熱交換器下流側風路８ｂに対応する部位に、熱交換器１に沿う凹形状の外周補強溝９を設けるとともに、天面６における熱交換器上流側風路９ａとなる送風機設置エリアに対応する部位に、凹形状のモータ周り補強溝７Ａを設け、これら外周補強溝９とモータ周り補強溝７Ａを、複数本の凹形状の連結溝２１によって連通接続し、外周補強溝９からモータ周り補強溝７Ａに流れ込んできた結露水を、送風機４の稼働時の発熱に伴い加熱されるモータ周り補強溝７Ａで蒸発させるようにしているので、モータ周り補強溝７Ａ、連結溝２１、及び外周補強溝９が天面６の中央部から外縁部まで連続する補強リブとして機能し、天面６全体の剛性を向上させるとともに、天面６に結露した水滴を外周補強溝９により回収し、一部をモータ周り補強溝７Ａで蒸発させ、他の一部を結露水流入孔１２からドレンパン１４に滴下させてドレンホースより筐体外へと排出することができる。このため、天面６に結露した水滴を、室内機本体以外の箇所に滴下させることなく処理することができる。
【００２２】
また、複数のモータ周り補強溝７Ａの溝深さを、外周補強溝９よりも深くしているので、外周補強溝９により回収した結露水を積極的にモータ周り補強溝７Ａに流すことができて、結露水を効率よく除去することができる。
【図面の簡単な説明】
【００２３】
【図１】本発明の実施の形態１に係る空気調和機の室内機を熱交換器の位置が解るように示す上面図である。
【図２】本発明の実施の形態１に係る空気調和機の室内機の縦断面図である。
【図３】本発明の実施の形態２に係る空気調和機の室内機を熱交換器の位置が解るように示す上面図である。
【図４】本発明の実施の形態２に係る空気調和機の室内機の縦断面図である。
【図５】従来の空気調和機の室内機の外観を示す斜視図である。
【図６】図５のＡ−Ａ線矢視断面図である。
【符号の説明】
【００２４】
１  熱交換器、４  送風機、５  筐体、６  天面、７，７Ａ  モータ周り補強溝（第２の溝）、８ａ  熱交換器上流側風路、８ｂ  熱交換器下流側風路、９  外周補強溝（溝：第１の溝）、１１  配管収納スペース（配管収納部分）、１２  結露水流入孔、１４  ドレンパン、２１  連結溝、３１  吸込口、３２  吹出口。
【図１】
0004542030.tif 000002
【図２】
0004542030.tif 000003
【図３】
0004542030.tif 000004
【図４】
0004542030.tif 000005
【図５】
0004542030.tif 000006
【図６】
0004542030.tif 000007